(57)【要約】      （修正有）【課題】会話を終了して通話を切断しようとする場合、会話が再開されたことにユーザに気づかせやすくする。【解決手段】電子機器は、通信部と、入力部と、制御部とを備える。通信部は、ユーザの音声信号を通話の相手に送信し、通話の相手からの音声信号を受信するように構成される。入力部は、ユーザが電子機器を操作するための入力を行なうように構成される。制御部は、通信部で通話の最中に送受信した音声信号および入力部からの通話を切断する操作の少なくともいずれか一方に基づいて通話において行なわれる会話が終了したか否かを判定するように構成される。制御部は、会話が終了したと判定した以降に通信部で受信した通話の相手からの音声信号に基づいて、会話が再開されたか否かを判定するように構成される。【選択図】図２
2017046280.tif 000002
【特許請求の範囲】
【請求項１】
通話が可能な電子機器であって、
ユーザの音声信号を前記通話の相手に送信し、前記通話の相手からの音声信号を受信するように構成される通信部と、
ユーザが前記電子機器を操作するための入力を行なうように構成される入力部と、
前記通信部で前記通話の最中に送受信した音声信号および前記入力部からの前記通話を切断する操作の少なくともいずれか一方に基づいて前記通話において行なわれている会話が終了したか否かを判定するように構成される制御部とを備え、
前記制御部は、
前記会話が終了したと判定した以降に前記通信部で受信した前記通話の相手からの音声信号に基づいて、前記会話が再開されたか否かを判定するように構成される、電子機器。
【請求項２】
前記制御部は、前記会話が再開されたと判定した場合、前記会話が再開された旨の報知をユーザに行なうように構成される、請求項１に記載の電子機器。
【請求項３】
前記電子機器は、表示部をさらに備え、
前記制御部は、前記会話が再開されたと判定した場合、所定の画像を前記表示部に表示することにより前記報知をユーザに行なうように構成される、請求項２に記載の電子機器。
【請求項４】
前記表示部は、前記電子機器を操作するための１つまたは複数のＧＵＩ（Graphical User Interface）を表示するように構成され、
前記入力部は、前記１つまたは複数のＧＵＩへのタッチ操作を受け付けるように構成されるタッチパネルを含み、
前記制御部は、前記会話が再開されたと判定した場合、前記１つまたは複数のＧＵＩのうちの前記通話を切断するための所定のＧＵＩの表示領域に前記所定の画像を表示するように構成される、請求項３に記載の電子機器。
【請求項５】
前記表示領域の中で前記所定の画像が表示されていない領域に収まるように、前記所定のＧＵＩを縮小して表示するように構成される、請求項４に記載の電子機器。
【請求項６】
前記電子機器に近接する物体を検知する近接センサをさらに備え、
前記制御部は、前記近接センサが物体を検知しなくなった後に前記所定の画像を表示するように構成される、請求項３に記載の電子機器。
【請求項７】
前記電子機器に近接する物体を検知する近接センサをさらに備え、
前記制御部は、前記報知が行われた場合、前記近接センサが前記電子機器に近接する物体を検知した後に前記報知を停止するように構成される、請求項２に記載の電子機器。
【請求項８】
前記制御部は、前記通話の相手の音声信号の音量が所定の音量よりも大きいときに前記会話が再開されたと判定するように構成される、請求項１に記載の電子機器。
【請求項９】
前記制御部は、前記通話の相手から受信した音声信号に含まれる所定の周波数帯の信号の音量を用いて前記会話が再開されたか否かを判定するように構成される、請求項８に記載の電子機器。
【請求項１０】
前記会話が終了したか否かを前記制御部が判定するときに用いられる１つまたは複数の終了単語が登録されるように構成される記憶部をさらに備え、
前記制御部は、前記通信部から送信するユーザの音声信号または前記通信部で受信した前記通話の相手からの音声信号に、前記記憶部に登録された前記１つまたは複数の終了単語のうちの少なくとも１つが含まれている場合に前記会話が終了したと判定するように構成される、請求項１に記載の電子機器。
【請求項１１】
前記制御部は、ユーザまたは前記通話の相手が前記会話の最中に発した単語のうち、発せられた時刻が前記通話の切断した時刻に近い所定の数の単語を前記１つまたは複数の終了単語として前記記憶部に登録するように構成される、請求項１０に記載の電子機器。
【請求項１２】
前記制御部は、前記会話が再開されたと判定した後に、ユーザが前記通話を切断する所定の操作を行なった場合、前記通話を切断せずに前記会話が再開された旨の報知を行なうように構成される、請求項１に記載の電子機器。
【発明の詳細な説明】
【技術分野】
【０００１】
本開示は、通話（通信を確立した相手との会話）が可能な電子機器に関する。
【背景技術】
【０００２】
従来から、通話相手あるいは通話時間のような通話に関する情報を表示部に表示する電子機器が知られている。特開２０１０−２７８６５７号公報（特許文献１）には、通話中に新たな着信を受けた場合に、いずれの着信を選択するかの指示を求める画面をディスプレイに表示する電話装置が開示されている。
【先行技術文献】
【特許文献】
【０００３】
【特許文献１】特開２０１０−２７８６５７号公報
【発明の概要】
【発明が解決しようとする課題】
【０００４】
ユーザまたは通信の相手が会話を終了して通話を切断（会話を可能としている通信を切断すること）しようとする場合に、通話の相手が新たに伝えたいことを着想して会話の再開を望んでいることを音声で伝えようとするときがある。このような場合、電子機器のユーザは相手の再開を望む音声に気づかずに通話を切断してしまうことがある。
【０００５】
このような会話の中断を避けるためには、会話が再開されたことをユーザに報知する必要がある。しかし、特開２０１０−２７８６５７号公報（特許文献１）に開示されているような従来の電子機器においては、会話が再開されたことは画面に表示されず、その他の方法によってもユーザに報知されない。そのため、従来の電子機器では、会話が再開されたことにユーザが気づき難い。
【課題を解決するための手段】
【０００６】
本開示の一態様の電子機器は、通話が可能な電子機器である。電子機器は、通信部と、入力部と、制御部とを備える。通信部は、ユーザの音声信号を通話の相手に送信し、通話の相手からの音声信号を受信するように構成される。入力部は、ユーザが電子機器を操作するための入力を行なうように構成される。制御部は、通信部で通話の最中に送受信した音声信号および入力部からの通話を切断する操作の少なくともいずれか一方に基づいて通話において行なわれている会話が終了したか否かを判定するように構成される。制御部は、会話が終了したと判定した以降に通信部で受信した通話の相手からの音声信号に基づいて、会話が再開されたか否かを判定するように構成される。
【発明の効果】
【０００７】
本開示の一態様によれば、会話が再開されたことを検知することができる。その結果、会話が再開されたことをユーザに気づかせ易くなる。
【図面の簡単な説明】
【０００８】
【図１】実施の形態に従う電子機器であるスマートフォンの正面図である。
【図２】図１のスマートフォンの機能を説明するための機能ブロック図である。
【図３】ユーザが従来のスマートフォンにより、通話の相手と会話している様子を示す図である。
【図４】図２の制御部によって行なわれる会話が再開されたか否かを判定する処理を説明するためのフローチャートである。
【図５】図２の制御部によって行なわれる、会話中マークの表示に関する処理を説明するためのフローチャートである。
【図６】終了単語の登録方法を選択する画面を示す図である。
【図７】自動学習の処理の一例を説明するためのフローチャートである。
【図８】画面復帰が行なわれるタイミングの例を示す図である。
【図９】会話が再開された旨の報知を行なうために、制御部が会話中マークを表示部に表示している様子を示す図である。
【図１０】表示部に警告ダイアログが表示されている様子を示す図である。
【図１１】図１０の警告ダイアログが表示された状態でタッチパネルがタッチされた場合に図２の制御部によって行なわれる処理について説明するためのフローチャートである。
【図１２】再開された会話にユーザが応答したか否かを判定する処理を説明するためのフローチャートである。
【図１３】再開された会話にユーザが応答したか否かを判定する他の処理を説明するためのフローチャートである。
【図１４】図２の制御部によって行なわれる、会話が終了したか否かを判定する処理の変形例を説明するためのフローチャートである。
【図１５】図２の制御部によって行なわれる、会話が終了したか否かを判定する処理の他の変形例を説明するためのフローチャートである。
【図１６】本開示における特徴的な処理の流れを１つのフローチャートにまとめた一例を示す図である。
【発明を実施するための形態】
【０００９】
以下、本開示の実施の形態について、図面を参照しながら詳細に説明する。なお、図中同一または相当部分には同一符号を付してその説明は繰り返さない。
【００１０】
以下の実施の形態では、実施の形態に従う電子機器としてスマートフォンを例として説明する。実施の形態に従う電子機器はスマートフォンに限定されるものではなく、通話が可能な電子機器であればどのようなものでも構わない。実施の形態に従う電子機器は、たとえばタブレットＰＣ、ノート型ＰＣ、あるいはスマートウォッチであってもよい。また、実施の形態に従う電子機器は携帯型の電子機器に限定されるものでもなく、たとえば固定式の電話機、あるいはデスクトップ型ＰＣであってもよい。
【００１１】
実施の形態に従う電子機器であるスマートフォンにおいては、データ通信はＬＴＥ（Long Term Evolution）で行ない、通話の際に通信方式を３Ｇ等の回線交換方式に切り替えるＣＳＦＢ（Circuit Switched FallBack）を採用している。回線交換方式としては、たとえば、ＣＤＭＡ（Code Division Multiple Access）、あるいはＵＭＴＳ（Universal Mobile Telecommunications System）が採用可能であるが、以下の実施の形態ではＣＤＭＡの場合の例を説明する。
【００１２】
実施の形態に従う電子機器においてＣＳＦＢは必須ではなく、例えばＶｏＬＴＥ（Voice over LTE）やＳＶＬＴＥ（Simultaneous Voice and LTE）を採用する電子機器であっても構わない。
【００１３】
図１は、実施の形態に従う電子機器であるスマートフォン１の正面図である。図１に示されるように、スマートフォン１は本体部の長手方向の上部にスピーカ８０と、本体部の長手方向の下部にマイク７０と、中央部に表示部２０とタッチパネル５１と、側面部に電源ボタン５２とを備える。
【００１４】
表示部２０には、通話中の画面が表示されている。通話中の画面には、通話相手、通話時間のように通話に関する情報が表示されている。また、保留あるいは切断など、通話に関する操作に必要なＧＵＩ（Graphical User Interface）が表示されており、切断ボタンＧＵＩ５３はその中の一つである。ユーザは、切断ボタンＧＵＩ５３をタッチすることにより通話を切断することができる。電源ボタン５２が通話の切断ボタンを兼ねている場合には、ユーザは電源ボタン５２を押下することによっても通話を切断することができる。
【００１５】
図２は、図１のスマートフォン１の機能を説明するための機能ブロック図である。図２に示されるように、スマートフォン１は、制御部１０と、表示部２０と、記憶部３０と、通信部４０と、入力部５０と、近接センサ６０と、マイク７０と、スピーカ８０とを備える。
【００１６】
制御部１０は、スマートフォン１を統合的に制御することができる。制御部１０は、図示はしないがＣＰＵ（Central Processing Unit）および記憶素子を含む。記憶素子は、たとえばＳＲＡＭ（Static Random Access Memory）またはＤＲＡＭ（Dynamic Random Access Memory）である。
【００１７】
表示部２０は、制御部１０から受信した信号に基づいて表示を行なうことができる。表示部２０は、たとえば液晶ディスプレイ、プラズマディスプレイ、または有機ＥＬディスプレイから構成されてもよい。
【００１８】
記憶部３０は、制御部１０に読み出されて実行されるＯＳ（Operating System）、各種アプリケーションのプログラム、および当該プログラムによって使用される各種データを保存することができる。記憶部３０は、たとえば、不揮発性の半導体メモリであるフラッシュメモリ、または記憶装置であるＨＤＤ（Hard Disk Drive）を含んでもよい。
【００１９】
通信部４０は、いずれも図示しないが、アンテナスイッチ、デュプレクサ、電力増幅器、低雑音増幅器、および帯域通過フィルタを含む。通信部４０は、ＬＴＥ（Long Term Evolution）またはＣＤＭＡ（Code Division Multiple Access）の方式に従い、通信事業者の通信網において通信を行なうことができる。通信部４０は、アンテナで受信した信号を処理して、この信号を制御部１０に出力することができる。制御部１０は、通信部４０へ信号を出力することができる。通信部４０は、制御部１０から出力された信号を送信することができる。通信部４０は、たとえばＷｉＦｉ（登録商標）、あるいはＢｌｕｅｔｏｏｔｈ（登録商標）によって近距離無線通信を行なうことができる。
【００２０】
入力部５０は、ユーザからの入力を受け付け、制御部１０にその入力に基づく信号を送信することができる。入力部５０は、図１のタッチパネル５１と電源ボタン５２とを含む。ユーザは入力部５０からスマートフォン１の操作に必要な入力を行なうことができる。たとえば、ユーザは入力部５０から通信を切断するために必要な操作を行なう。
【００２１】
近接センサ６０は、たとえば赤外線方式の近接センサである。近接センサ６０は、自身から所定の距離内にある物体を検知する。近接センサ６０は、物体を検知した場合に検出信号を制御部１０へ出力する。この実施の形態においては、近接センサ６０はスピーカ８０の付近に配置される。近接センサ６０の主な目的は、スマートフォン１が耳の付近に近づけられたか否かを検知することである。
【００２２】
図３は、ユーザが従来のスマートフォン１０００により、通信の相手と会話している様子を示す図である。図３（ａ）に示されるように、ユーザが「またね。」と言って会話を終了しようとしている。図３（ｂ）に示されるように、それを聞いた相手がユーザに伝えたいことを思い出して「ちょっと待って、…」と言いかけている。しかし、ユーザはスマートフォン１０００を耳から離してしまっているため、相手のその声に気づかずに通話を切断する操作を行ない、会話を中断させてしまっている。
【００２３】
このような会話の中断を避けるためには、通話の相手が会話の再開を望んでいることをユーザに報知する必要がある。
【００２４】
実施の形態に従うスマートフォン１においては、会話が終了した場合に、相手が会話の再開を望んでいるか否かを判定する。相手が会話の再開を望んでいることを検知することにより、ユーザは通話の相手が会話の再開を望んでいることに気づき易くなる。
【００２５】
図４は、図２の制御部１０によって行なわれる、会話が再開されたか否かを判定する処理を説明するためのフローチャートである。この処理は、通話が行なわれている間、所定の間隔で行なわれる。実施の形態においては、通話が開始されると、会話中マークの表示フラグがＯＦＦに設定される。会話中マークとは、会話が再開された旨の報知を行なうために用いられる所定の画像である。図４に示されるように、制御部１０は、ステップＳ１１およびステップＳ１２において、会話が終了したか否かを判定する。制御部１０は、ステップＳ１１において、ユーザによって通話を切断する所定の操作が行なわれたか否かを判定する。所定の操作とは、たとえば、ユーザによる図１の切断ボタンＧＵＩ５３をタッチする操作、あるいは電源ボタン５２を押下する操作である。通話を切断する所定の操作が行なわれた場合（Ｓ１１においてＹＥＳ）、制御部１０は、会話が終了したと判定し、処理をステップＳ１３へ進める。通話を切断する所定の操作が行なわれていない場合（Ｓ１１においてＮＯ）、制御部１０は、処理を終了する。
【００２６】
制御部１０は、ステップＳ１２において、ユーザまたは相手が発した単語が会話の終了を意味する単語（以下では「終了単語」ともいう。）か否かを判定する。ユーザまたは相手が発した単語が終了単語か否かは、ユーザまたは相手が発した単語が図２の記憶部３０に登録されている１つまたは複数の単語に含まれるか否かで判定する。終了単語をどのように登録するかは後に説明する。ユーザまたは相手が発した単語が終了単語である場合（Ｓ１２においてＹＥＳ）、制御部１０は会話が終了したと判定し、処理をステップＳ１３へ進める。ユーザまたは相手が発した単語が終了単語ではない場合（Ｓ１２においてＮＯ）、制御部１０は処理を終了する。
【００２７】
制御部１０は、ステップＳ１３において、スマートフォン１が有するノイズキャンセラー機能を有効にし、処理をステップＳ１４へ進める。この機能により、通話の相手からの音声に含まれるノイズが除去される。このことにより、次のステップＳ１４において、人間の音声に特有の周波数帯の音声信号を用いることにより、通話の相手の音声の音量を精度よく測定することができる。
【００２８】
制御部１０は、ステップＳ１４において、所定の時間の間、通話の相手の音声の音量を測定し、処理をステップＳ１５へ進める。制御部１０は、ステップＳ１５において、通話の相手の音声の音量が６０ｄＢ以上か否かを判定する。通話の相手の音声の音量が６０ｄＢ以上である場合（Ｓ１５においてＹＥＳ）、制御部１０は会話が再開されたと判定し、処理をステップＳ１６に進める。制御部１０は、ステップＳ１６において、会話中マークの表示フラグをＯＮに設定し、処理を終了する。
【００２９】
通話の相手の音声の音量が６０ｄＢより小さい場合（Ｓ１５においてＮＯ）、制御部１０は処理を終了する。
【００３０】
ユーザまたは相手が終了単語を発し（Ｓ１２においてＹＥＳ）、Ｓ１３およびＳ１４の処理を経て、Ｓ１５において通話の相手の音声の音量が６０ｄＢより小さいと判定された場合は、通話が維持される。一方、通話を切断する所定の操作が行われ（Ｓ１１においてＹＥＳ）、Ｓ１３およびＳ１４の処理を経て、Ｓ１５において通話の相手の音声の音量が６０ｄＢより小さいと判定された場合は、自動的に通話が切断されてもよい。
【００３１】
ステップＳ１５において会話が再開されたか否かの判定に用いられる所定の音量は６０ｄＢに限定されない。この音量は、たとえば、実機実験またはシミュレーションによって適宜決定されるのが望ましい。
【００３２】
表示部２０がたとえば省電力のために通話中に一時的にＯＦＦとなっている場合、所定の操作に応じて表示部２０がＯＮとなって図１の画面が復帰する。以下では所定の操作に応じて表示部２０に図１の画面が復帰することを単に「画面復帰」という。
【００３３】
図５は、画面復帰したときに図２の制御部１０によって行なわれる処理を説明するためのフローチャートである。図５に示されるように、制御部１０は、ステップＳ２１において会話中マークの表示フラグがＯＮかＯＦＦかを判定する。表示フラグがＯＮの場合（Ｓ２１においてＹＥＳ）、制御部１０は処理をステップＳ２２へ進める。制御部１０は、ステップＳ２２において会話中マークを表示して処理を終了する。表示フラグがＯＦＦの場合（Ｓ２１においてＮＯ）、制御部１０は処理をステップＳ２３へ進める。制御部１０はステップＳ２３において会話中マークを非表示として処理を終了する。
【００３４】
以下では、図４のステップＳ１２において使用される終了単語の登録方法について説明する。図６は、終了単語の登録方法を選択する画面を示す図である。図６に示されるように、終了単語の登録方法には、たとえば、文字入力、音声入力、および自動学習がある。文字入力は、ユーザが入力部５０から終了単語を登録する方法である。音声入力は、ユーザがマイク７０に音声を入力することによって終了単語を登録する方法である。自動学習は、通話中に発せられた単語から終了単語を自動的に登録する方法である。図６においては自動学習が選択されている。
【００３５】
図７は、自動学習の処理の一例を説明するためのフローチャートである。この処理は、ユーザまたは通話の相手が発した音声中に単語が認識される度に実行される。図７に示されるように、制御部１０は、ステップＳ１２１において、記憶部３０に登録されている終了単語の数が３以上であるか否かを判定する。登録されている終了単語の数が３より小さい場合（Ｓ１２１においてＮＯ）、制御部１０は処理をステップＳ１２３に進める。登録されている終了単語の数が３以上である場合（Ｓ１２１においてＹＥＳ）、制御部１０は処理をステップＳ１２２に進める。制御部１０は、ステップＳ１２２において、最も早い時刻に記憶部３０に登録された終了単語を削除し、処理をステップＳ１２３に進める。制御部１０は、ステップＳ１２３において、認識された単語を終了単語の１つとして記憶部３０に新たに登録し、処理を終了する。
【００３６】
図７に示されるような処理を行なうことにより、ユーザまたは相手が発した単語のうち、通話が切断された時刻から近い順に３つの単語が終了単語として記憶部３０に登録される。記憶部３０に登録される終了単語の数は３つに限られない。
【００３７】
自動学習は、単語が認識される度に行なわれるのではなく、通話の切断後にまとめて行なわれてもよい。この場合、たとえば通話中に認識された全単語を記憶しておき、通話が切断された後に全単語を解析することにより終了単語を決定してもよい。
【００３８】
図８は、画面復帰が行なわれるタイミングの例を示す図である。図８に示す各場合においては、終了単語として「ありがとう」，「またね」，「バイバイ」という３つの単語が記憶部３０に登録されているとする。図８（ａ）〜（ｃ）のそれぞれに示されるように、ユーザは「またね。」と相手に言っている。その発言には終了単語である「またね」が含まれている。したがって、制御部１０により会話が終了したと判定される（図４のＳ１２参照）。その後、通話の相手が会話の再開を望んで６０ｄＢ以上の音量で発言すると、会話中マークの表示フラグがＯＮとなる（図４のＳ１５およびＳ１６参照）。
【００３９】
図８（ａ）は、図１の電源ボタン５２が押下されたことに応じて画面復帰が行なわれる場合の図である。この場合、電源ボタン５２は切断ボタンを兼ねている。ユーザが通話を切断しようとして電源ボタン５２を押下したことに応じて画面復帰が行なわれる。図５の処理が行なわれて、ステップＳ２２において会話中マークが表示部２０に表示される。
【００４０】
図８（ｂ）は、図２の近接センサ６０によってスマートフォン１が耳から離されたことに応じて画面復帰が行なわれる場合の図である。ユーザは、通話を切断しようとする場合、切断ボタンＧＵＩ５３が表示される表示部２０を見ようと、スマートフォン１を耳から離す。図８（ｂ）においては、近接センサ６０が物体を検知しなくなった、すなわちユーザがスマートフォン１を耳から離したことに応じて画面復帰が行なわれる。図５の処理が行なわれて、ステップＳ２２において会話中マークが表示部２０に表示される。
【００４１】
図８（ｃ）は、ヘッドセット２の切断ボタンが押下されたことに応じて画面復帰が行なわれる場合の図である。ヘッドセット２は、たとえばＢｌｕｅｔｏｏｔｈによってスマートフォン１と接続している。この場合、ユーザが通話を切断しようとしてヘッドセットの切断ボタンを押下したことに応じて画面復帰が行なわれる。図５の処理が行なわれて、ステップＳ２２において会話中マークが表示部２０に表示される。
【００４２】
図９は、会話が再開された旨の報知を行なうために、制御部１０が会話中マーク５４を表示部２０に表示している様子を示す図である。図９に示されるように、会話中マーク５４は、図１における切断ボタンＧＵＩ５３の表示領域に表示されている。会話中マーク５４は、切断ボタンＧＵＩ５３の表示領域のたとえば４分の３程度を占めている。切断ボタンＧＵＩ５３は、自身の表示領域中で会話中マーク５４が表示されていない残りの領域に、図１の場合よりも縮小されて表示されている。
【００４３】
このように会話中マーク５４を、切断ボタンＧＵＩ５３が通常表示されている位置に表示することにより、ユーザは通話を切断しようと切断ボタンＧＵＩ５３にタッチしようとしたときに会話中マーク５４に気づき易くなる。また、切断ボタンＧＵＩ５３が通常よりも縮小されて表示されるため、会話中マーク５４が表示されている最中は切断ボタンＧＵＩ５３にタッチし難くなる。その結果、相手が会話の再開を望んでいる場合、誤って切断ボタンＧＵＩ５３がタッチされることが少なくなる。
【００４４】
図１０は、表示部２０に警告ダイアログ５５が表示されている様子を示す図である。図１０に示されるように、制御部１０は、会話が再開されたと判定した後に、ユーザによって通話を切断する所定の操作が行なわれた場合、通話を切断せずに警告ダイアログ５５を表示部２０に表示する。このような警告ダイアログ５５を表示することで、たとえば誤って通話を切断する操作を行なった場合、あるいは会話が再開された旨の報知に気づかずに通話を切断する操作を行なった場合に、会話が再開されたことをユーザに気づかせ易くなる。警告ダイアログ５５は、ＯＫボタンＧＵＩまたはＣＡＮＣＥＬボタンＧＵＩがタッチされると閉じられる。
【００４５】
図１１は、図１０の警告ダイアログ５５が表示された状態でタッチパネル５１がタッチされた場合に図２の制御部１０によって行なわれる処理について説明するためのフローチャートである。警告ダイアログ５５は図１１に示されるように、制御部１０はステップＳ３１において警告ダイアログ５５のＯＫボタンＧＵＩがタッチされたか否かを判定する。警告ダイアログ５５のＣＡＮＣＥＬボタンＧＵＩがタッチされた場合またはタッチパネル５１における警告ダイアログ５５以外の領域がタッチされた場合（Ｓ３１においてＮＯ）、制御部１０は処理をステップＳ３３へ進める。制御部１０はステップＳ３３において警告ダイアログ５５を閉じて処理を終了する。警告ダイアログ５５が閉じられた後、表示部２０には、再び図９に示されるような画面が表示される。警告ダイアログ５５のＯＫボタンＧＵＩがタッチされた場合（Ｓ３１においてＹＥＳ）、制御部１０は処理をステップＳ３２へ進める。制御部１０は、ステップＳ３２において通話を切断し、処理を終了する。
【００４６】
タッチパネル５１における警告ダイアログ５５以外の領域は、１つ前の画面に戻るために操作されるＢａｃｋキー、ホーム画面に戻るために操作されるＨｏｍｅキー、および使用されたアプリケーションの履歴が表示されるＲｅｃｅｎｔキーを含んでいてもよい。
【００４７】
警告ダイアログ５５は、警告ダイアログ５５のＯＫボタンＧＵＩまたはＣＡＮＣＥＬボタンＧＵＩがタッチされるまで表示されていてもよい。その場合、警告ダイアログ５５以外の領域がタッチされても警告ダイアログ５５が閉じられなくてもよい。
【００４８】
図１２は、再開された会話にユーザが応答したか否かを判定する処理を説明するためのフローチャートである。この処理は、会話中マーク５４が表示されている間、所定の間隔で行なわれる。制御部１０は、ステップＳ４１において、図２の近接センサ６０が物体を検知しているか否かを判定する。近接センサ６０が物体を検知している場合（Ｓ４１においてＹＥＳ）、制御部１０は処理をステップＳ４２へ進める。近接センサ６０が物体を検知していない場合（Ｓ４１においてＮＯ）、制御部１０は処理を終了する。
【００４９】
図１２に示される処理においては、ステップＳ４１の処理によって、再開された会話にユーザが応答したか否かが判定される。再開された会話に対するユーザの応答が検知された場合、会話中マーク５４の表示フラグがＯＦＦに設定される。会話中マーク５４は、表示フラグがＯＦＦに設定された後、図５の処理が行なわれたときに表示されなくなり、会話が再開された旨の報知が停止される。
【００５０】
再開された会話にユーザが応答したか否かを判定する方法は、図１２のステップＳ４１によって判定する方法に限られない。たとえば、図１３のステップＳ４３，Ｓ４４に示されるように、所定の時間の間、ユーザの音声を測定し（Ｓ４３）、ユーザの音声の音量が所定の音量以上である場合（Ｓ４４においてＹＥＳ）に、再開された会話にユーザが応答したと判定しても構わない。このように近接センサによらない判定方法を用いることにより、近接センサを使用しての判定が困難あるいは不可能な場合であっても、再開された会話にユーザが応答したか否かを判定することができる。近接センサを使用しての判定が困難あるいは不可能な場合としては、たとえば、図１のスピーカ８０を耳に近づけることなくマイク７０を口に近づけて応答した場合、近接センサ６０が故障している場合、あるいは実施の形態によるスマートフォンが近接センサを備えていない場合を挙げることができる。実施の形態によるスマートフォンが近接センサを備えていない場合、制御部１０はステップＳ４１の処理は行なわず、会話中マーク５４が表示されている間、ユーザの音声のデシベル値を測定し、ユーザの音声の音量が所定の音量以上であるか否かを判定してもよい。
【００５１】
以上のように、本開示の実施の形態に従う電子機器であるスマートフォン１によれば、会話が再開されたことを検知することができる。その結果、会話が再開されたことをユーザに気づかせ易くなる。
【００５２】
実施の形態においては、会話が再開された旨の報知は、所定の画像である会話中マークの表示によって行なう。会話が再開された旨の報知は、所定の画像の表示に限られない。会話が再開された旨の報知は、たとえば、スピーカ８０の音量の増大、振動の発生、不図示のランプの点滅、あるいはスピーカ８０からの所定の音声の出力でも構わない。
【００５３】
実施の形態においては、会話が終了したか否かを、図４のステップＳ１１，Ｓ１２を行なうことによって判定した。会話が終了したか否かは、ステップＳ１１（図１４参照）およびステップＳ１２（図１５参照）のいずれか一方を行なうことによって判定されてもよい。
【００５４】
図１６は、本開示における特徴的な処理の流れを１つのフローチャートにまとめた一例を示す図である。図１６に示されるような処理の流れによっても上記した実施の形態と同様の効果を得ることができる。ステップＳ１０１〜Ｓ１０６までの処理は、図４に示される処理に相当する。ステップＳ１０７以降においては、ユーザがヘッドセットを使用しているか否かによって会話中マークが表示される（Ｓ１１２）までの処理の流れが異なる。ユーザがヘッドセットを使用している場合（Ｓ１０７においてＹＥＳ）、ヘッドセットの切断ボタンが押下されて画面復帰したタイミングで会話中マークが表示される（Ｓ１１０，１１１，１１２）。ユーザがヘッドセットを使用していない場合（Ｓ１０７においてＮＯ）、切断ボタンを兼ねている電源ボタンが押下された後（Ｓ１０８，１１０）、あるいは近接センサがＯＦＦとなった後（Ｓ１０９）、画面復帰したタイミングで会話中マークが表示される（Ｓ１１１，１１２）。
【００５５】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００５６】
１，１０００  スマートフォン、２  ヘッドセット、１０  制御部、２０  表示部、３０  記憶部、４０  通信部、５０  入力部、５１  タッチパネル、５２  電源ボタン、５３  切断ボタンＧＵＩ、５４  会話中マーク、６０  近接センサ、７０  マイク、８０  スピーカ。
【図１】
2017046280.tif 000003
【図２】
2017046280.tif 000004
【図３】
2017046280.tif 000005
【図４】
2017046280.tif 000006
【図５】
2017046280.tif 000007
【図６】
2017046280.tif 000008
【図７】
2017046280.tif 000009
【図８】
2017046280.tif 000010
【図９】
2017046280.tif 000011
【図１０】
2017046280.tif 000012
【図１１】
2017046280.tif 000013
【図１２】
2017046280.tif 000014
【図１３】
2017046280.tif 000015
【図１４】
2017046280.tif 000016
【図１５】
2017046280.tif 000017
【図１６】
2017046280.tif 000018